(57)【要約】【課題】軽量で操作性に優れ、汎用性を有し、低コストで洗浄作業を実施でき、かつ、洗浄廃液を確実に回収することができる橋梁の洗浄装置を提供する。【解決手段】弾性材料をチューブ状に形成してなるフレキシブルノズル１２が内側に取り付けられた洗浄カップ２と、洗浄カップ２の内側のフレキシブルノズル１２に外側から洗浄液を供給する洗浄液供給部３と、洗浄カップ２に形成された貫通孔を介して洗浄カップ２の内側から外側へ排出される洗浄廃液を回収する洗浄廃液回収ホース４とによって橋梁の洗浄装置１を構成し、フレキシブルノズル１２を、先端から洗浄液が噴射される際に生じる反力及びそのベクトル変化によって先端側が不規則的に揺動するように構成した。【選択図】図１
2014148844.tif 000002
【特許請求の範囲】
【請求項１】
弾性材料をチューブ状に形成してなるフレキシブルノズルが内側に取り付けられた洗浄カップと、洗浄カップの内側のフレキシブルノズルに外側から洗浄液を供給する洗浄液供給部と、洗浄カップに形成された貫通孔を介して洗浄カップの内側から外側へ排出される洗浄廃液を回収する洗浄廃液回収ホースと、によって構成される橋梁の洗浄装置であって、
洗浄カップは、開口部を有する箱状に形成され、
フレキシブルノズルは、洗浄カップの内側において、開口部の方向へ向かって突出するように取り付けられ、先端から洗浄液が噴射される際に生じる反力及びそのベクトル変化によって先端側が不規則的に揺動するように構成されていることを特徴とする橋梁の洗浄装置。
【請求項２】
先端部が、洗浄カップの内側であって開口端縁の近傍位置において開口し、基端部が、洗浄廃液回収ホースと接続され、洗浄液が噴射されることにより洗浄カップ内に溜まる洗浄廃液を洗浄カップ外へ排出する吸引パイプを有していることを特徴とする、請求項１に記載の橋梁の洗浄装置。
【請求項３】
洗浄カップの開口端縁に、全周的にスポンジ及び／又はブラシが取り付けられていることを特徴とする、請求項１又は請求項２に記載の橋梁の洗浄装置。
【請求項４】
洗浄液供給部が、スプレーガンと洗浄液供給ホースとによって構成され、
スプレーガンは、把持部及びトリガーを有し、洗浄液供給ホースから供給される洗浄液を、トリガーの操作量に応じて調整された圧力又は流量にてフレキシブルノズルへ供給できるように構成されていることを特徴とする、請求項１〜３のいずれかに記載の橋梁の洗浄装置。
【発明の詳細な説明】
【技術分野】
【０００１】
本発明は、橋梁の洗浄装置に関し、特に、軽量で操作性に優れ、かつ、洗浄廃液を回収することができる橋梁の洗浄装置に関する。
【背景技術】
【０００２】
鋼製の橋桁を使用した橋梁を管理する場合、錆の発生を防止することが重要であり、そのためには鋼製の橋桁を洗浄することが有効である。特に、海の近くに架設された橋梁においては、海水に由来する塩分によって発錆が促進されてしまうため、短いスパンで定期的に洗浄作業を実施して、橋桁に付着した塩分をこまめに除去してやる必要がある。また、津波により、鋼製の橋桁に海水が直に接触してしまったような場合には、できるだけ速やかに洗浄作業を実施する必要がある。
【０００３】
橋梁の橋桁を対象とする洗浄作業は、高所作業となるため、地上で実施できる洗浄作業と比較して、技術的にも、また、作業性やコスト的な観点からも、難しい場合が多い。そこで従来より、橋梁の橋桁を効果的に洗浄できるような橋梁用の洗浄装置が各種開発されている（特開平１１−１００８１４号公報、特開平１１−１０７２１５号公報、特開２００３−３４２２号公報等）。
【先行技術文献】
【特許文献】
【０００４】
【特許文献１】特開平１１−１００８１４号公報
【特許文献２】特開平１１−１０７２１５号公報
【特許文献３】特開２００３−３４２２号公報
【特許文献４】特開２００４−１０５９４０号公報
【発明の概要】
【発明が解決しようとする課題】
【０００５】
上記の従来の橋梁用の洗浄装置は、いずれも洗浄対象となる橋梁に対して据え付けられて使用されるもの（対象となる橋梁専用の装置）であるため、汎用性がなく、また、構造が大掛かりであり、施工コストも嵩んでしまうことになる。このため、大震災に伴う大津波により、特定の地域に架設されている多数の橋梁が一度に海水を被ってしまい、それらのすべての橋梁について速やかに洗浄作業を実施することが必要となるような場合には、上記のような据付型の洗浄装置を適用することは困難である。
【０００６】
そこで、より汎用性を有し、作業性が良く、かつ、低コストで洗浄作業を実施できるような簡易な装置の開発が望まれている。また、洗浄作業に伴って必然的に生じる洗浄廃液をそのまま橋梁の下方へ落下させてしまうと、環境上問題があるため、簡易な構成でありながらも、洗浄廃液を確実に回収できるような洗浄装置の開発が望まれている。
【０００７】
本発明は、上記のような従来技術における課題を解決しようとするものであって、軽量で操作性に優れ、汎用性を有し、低コストで洗浄作業を実施でき、かつ、洗浄廃液を確実に回収することができる橋梁の洗浄装置を提供することを目的とする。
【課題を解決するための手段】
【０００８】
本発明に係る橋梁の洗浄装置は、弾性材料をチューブ状に形成してなるフレキシブルノズルが内側に取り付けられた洗浄カップと、洗浄カップの内側のフレキシブルノズルに外側から洗浄液を供給する洗浄液供給部と、洗浄カップに形成された貫通孔を介して洗浄カップの内側から外側へ排出される洗浄廃液を回収する洗浄廃液回収ホースと、によって構成され、洗浄カップは、開口部を有する箱状に形成され、フレキシブルノズルは、洗浄カップの内側において、開口部の方向へ向かって突出するように取り付けられ、先端から洗浄液が噴射される際に生じる反力及びそのベクトル変化によって先端側が不規則的に揺動するように構成されていることを特徴としている。
【０００９】
尚、洗浄カップの開口端縁には、全周的にスポンジ及び／又はブラシが取り付けられていることが好ましく、また、洗浄液供給部は、スプレーガンと洗浄液供給ホースとによって構成され、スプレーガンは、把持部及びトリガーを有し、洗浄液供給ホースから供給される洗浄液を、トリガーの操作量に応じて調整された圧力又は流量にてフレキシブルノズルへ供給できるように構成されていることが好ましい。
【００１０】
また、この橋梁の洗浄装置を、主に橋梁の橋桁の上向き面（上向き水平面及び上向き傾斜面）を対象とする洗浄装置として構成する場合には、先端部が、洗浄カップの内側であって開口端縁の近傍位置において開口し、基端部が、洗浄廃液回収ホースと接続され、洗浄液が噴射されることにより洗浄カップ内に溜まる洗浄廃液を洗浄カップ外へ排出する吸引パイプを配置することが好ましい。
【発明の効果】
【００１１】
本発明に係る橋梁の洗浄装置は、非常に簡素な構成であるため、軽量で、汎用性を有し、操作性に優れた装置とすることができ、しかも、洗浄液の噴射によって先端が揺動するフレキシブルノズルを採用することにより、洗浄対象面の全体をむら無く効果的に洗浄することができ、更に、洗浄作業に伴って生じる洗浄廃液を確実に回収することができる。
【図面の簡単な説明】
【００１２】
【図１】図１は、本発明の第一実施形態に係る橋梁の洗浄装置１（垂直面及び下向き面洗浄用）の側面図である。
【図２】図２は、図１に示す洗浄装置１を構成する洗浄カップ２の正面図である。
【図３】図３は、図１に示す洗浄装置１を構成する洗浄カップ２の断面図である。
【図４】図４は、本発明の第二実施形態に係る橋梁の洗浄装置１（上向き面洗浄用）の側面図である。
【図５】図５は、図４に示す洗浄装置１を構成する洗浄カップ２の底面図である。
【発明を実施するための形態】
【００１３】
以下、本発明を実施するための形態（第一実施形態、及び、第二実施形態）について説明する。まず、本発明の第一実施形態として、主に橋梁の橋桁における垂直面及び下向き面（下向き水平面及び下向き傾斜面）を対象とする洗浄装置１について説明する。この洗浄装置１は、図１に示すように、洗浄カップ２、洗浄液供給部３、及び、洗浄廃液回収ホース４によって構成されている。
【００１４】
洗浄カップ２は、図１〜図３に示すように、基本形状が、内側に空間を有する箱状に形成され、前方側（図１及び図３において左側）に開口部５が形成されている。つまり、上方が開放された箱状の容器を横倒しにしたような形状となっている。
【００１５】
洗浄カップ２の開口部５には、ブラシ６及びスポンジ７が装着されている。より具体的には、開口部５の先端（図３に示す開口端縁５ａ）から前方（図１及び図３において左側）へ向かって突出するように、開口端縁５ａの全周にわたってブラシ６が取り付けられ、開口端縁５ａの外周に、全周的にスポンジ７が取り付けられている。
【００１６】
洗浄カップ２の後方側の側部８（開口部５とは反対側の側部）には、図３に示すように、二つの貫通孔（小孔９ａ、大孔９ｂ）が形成されている。小孔９ａは、後方側の側部８の中央部付近に形成され、大孔９ｂは、後方側の側部８の中央最下部に形成されている。そして、小孔９ａには、ノズルソケット１１が挿通され、大孔９ｂには、洗浄液排出部１３（円筒状部材）が挿通されている。
【００１７】
図３に示すように、洗浄カップ２の内側においては、小孔９ａに挿通されたノズルソケット１１から前方（開口部５の方向）へ向かって突出するように、継手１０を介してフレキシブルノズル１２が取り付けられている。一方、洗浄カップ２の外側においては、図１に示すように、後方側の側部８から更に後方（図１において右側）へ向かって突出するノズルソケット１１に、洗浄液供給部３が接続され、洗浄液排出部１３には、洗浄カップ２の内側から外側へ排出された洗浄廃液（噴射された洗浄液、及び、洗浄対象面から除去された汚れ成分や塩分）を回収する洗浄廃液回収ホース４が接続されている。
【００１８】
ノズルソケット１１に接続されている洗浄液供給部３は、図１に示すように、スプレーガン１６と洗浄液供給ホース１７とによって構成されている。スプレーガン１６は、把持部１４及びトリガー１５を有しており、作業者が把持部１４を掴んでトリガー１５を操作する（把持部１４側へ引っ張る）と、把持部１４の下端に接続されている洗浄液供給ホース１７から供給される洗浄液（水道水、水道水と洗剤、又は、その他の液体）を、先端に接続されているノズルソケット１１及びフレキシブルノズル１２へ、所定の圧力又は流量（或いは、トリガー１５の操作量に応じて調整された圧力又は流量）にて供給できるように構成されている。
【００１９】
フレキシブルノズル１２は、弾性材料（例えば、天然ゴム、合成ゴム、塩化ビニル樹脂、シリコン等）をチューブ状に構成してなるものであり、先端から噴射される洗浄液（ノズルソケット１１側から供給される）の圧力又は流速をコントロールすることにより、洗浄液が噴射される際に生じる反力及びそのベクトル変化によって先端側が暴れる（上下方向及び左右方向に不規則的に揺動する）ように構成されている。
【００２０】
ここで、図１〜図３に示す第一実施形態に係る橋梁の洗浄装置１の使用方法について説明すると、この洗浄装置１は、橋梁の橋桁の構成面のうち、主として垂直面及び下向き面を対象とするものであり、開口部５を洗浄対象面に臨ませ、開口部５に装着されているブラシ６及びスポンジ７を全周的に洗浄対象面に押し付ける。そして、この状態でスプレーガン１６のトリガー１５を操作して、洗浄液供給ホース１７から供給される洗浄液を、先端に接続されているノズルソケット１１及びフレキシブルノズル１２へ高圧供給し、また、洗浄廃液回収ホース４に接続されている吸引手段（回収タンクを付帯した吸引ポンプ等）（図示せず）を作動させる。
【００２１】
そうすると、フレキシブルノズル１２から、開口部５に臨む洗浄対象面に向かって洗浄液が噴射され、洗浄が行われる。このとき、弾性材料で形成されているフレキシブルノズル１２は、洗浄液が噴射される際に生じる反力及びそのベクトル変化によって先端側が暴れることになり、その結果、開口部５に臨む洗浄対象面の全体にむら無く洗浄液が噴射され、対象面に付着した汚れや塩分を効果的に除去することができる。
【００２２】
尚、洗浄液の噴射は、洗浄カップ２内で行われるため、洗浄廃液は、周囲へ飛散することなく洗浄カップ２の底に溜まり、洗浄カップ２の後方側の側部８の中央最下部に形成されている大孔９ｂ、及び、洗浄液排出部１３を通って洗浄カップ２外へ排出され、洗浄液排出部１３に接続されている洗浄廃液回収ホース４から吸引手段（図示せず）へと吸引され、回収される。
【００２３】
また、開口部５には、ブラシ６及びスポンジ７が装着されているため、汚れや塩分等が洗浄対象面に強固にこびりついているような場合であっても、洗浄カップ２を、洗浄対象面に押し付けた状態で上下左右方向へ適宜動かして洗浄対象面を擦ることにより、それらの汚れや塩分を好適に除去することができる。
【００２４】
次に、本発明の第二実施形態として、主に橋梁の橋桁における上向き面（上向き水平面及び上向き傾斜面）を対象とする洗浄装置１について説明する。この洗浄装置１は、図４に示すように、洗浄カップ２、洗浄液供給部３、及び、洗浄廃液回収ホース４によって構成されている。この点は、図１〜図３に示す第一実施形態に係る洗浄装置１と同様であるが、洗浄カップ２の向き、及び、洗浄カップ２の内側に吸引パイプ１８が配置されている点で、第一実施形態に係る洗浄装置１と相違している。
【００２５】
より具体的には、洗浄カップ２は、図４及び図５に示すように、基本形状が、内側に空間を有する箱状に形成され、下方側に開口部５が形成されている。また、洗浄カップ２の上面部１９には、二つの貫通孔が形成されており、一方の貫通孔には、ノズルソケット１１が挿通され、他方の貫通孔には、洗浄液排出部１３（円筒状部材）が挿通されている。また、洗浄カップ２の内側においては、貫通孔に挿通されたノズルソケット１１から下方（開口部５の方向）へ向かって突出するように、継手１０を介してフレキシブルノズル１２が取り付けられている。一方、洗浄カップ２の外側においては、図４に示すように、上面部１９から上方へ向かって突出するノズルソケット１１に、洗浄液供給部３が接続され、洗浄液排出部１３には、洗浄廃液回収ホース４が接続されている。
【００２６】
洗浄カップ２の開口部５にブラシ６及びスポンジ７が取り付けられている点、洗浄液供給部３が、把持部１４及びトリガー１５を有するスプレーガン１６と、洗浄液供給ホース１７とによって構成されている点、並びに、ブラシ６、スポンジ７、スプレーガン１６、及び、フレキシブルノズル１２の構成、機能は、第一実施形態に係る洗浄装置１と同様である。
【００２７】
本実施形態に係る洗浄装置１においては、上述の通り、洗浄カップ２の内側に吸引パイプ１８が複数本配置されている。これらの吸引パイプ１８は、洗浄カップ２内で洗浄液が噴射されることにより、洗浄カップ２内に溜まる洗浄廃液を洗浄カップ２外へ排出するためのものであり、図４及び図５に示すように、洗浄カップ２の開口端縁５ａの近傍であって周方向へ所定の間隔を置いた位置に先端部がそれぞれ開口するように（開口端縁５ａの全周にわたって散開するように）配置されるとともに、基端部が、洗浄液排出部１３の端部（或いは内部）において集合し、洗浄廃液回収ホース４とそれぞれ接続されるように構成されている。
【００２８】
尚、ここに言う「開口端縁５ａの近傍」の位置とは、洗浄カップ２内に溜まった洗浄廃液を、洗浄対象面との隙間から漏出させずに速やかに吸引できる位置を意味し、より具体的には、開口端縁５ａから上方（上面部１９側）へ２ｃｍ以内の位置、即ち、洗浄カップ２内に溜まる洗浄廃液の水位（水面から開口端縁５ａまでの深さ）が２ｃｍを超えないように吸引できる位置を意味する。洗浄カップ２内の水位が２ｃｍを超えると、洗浄対象面と、そこに押し付けられているスポンジ７との隙間から漏出する洗浄廃液の量が、限度を超えてしまう可能性があるためである。
【００２９】
ここで、図４及び図５に示す第二実施形態に係る橋梁の洗浄装置１の使用方法について説明すると、この洗浄装置１は、橋梁の橋桁の構成面のうち、主として上向き面（上向き水平面及び上向き傾斜面）（例えば、Ｉ型鋼を使用して構成される橋桁における下側フランジの上面等）を対象とするものであり、洗浄対象面の上に、開口部５が下側となる向きで洗浄装置１を載置し、開口部５に装着されているブラシ６及びスポンジ７を全周的に洗浄対象面に押し付ける。そして、この状態でスプレーガン１６のトリガー１５を操作して、洗浄液供給ホース１７から供給される洗浄液を、先端に接続されているノズルソケット１１及びフレキシブルノズル１２へ高圧供給し、また、洗浄廃液回収ホース４に接続されている吸引手段（図示せず）を作動させる。
【００３０】
そうすると、フレキシブルノズル１２から、開口部５に臨む洗浄対象面に向かって洗浄液が噴射され、洗浄が行われる。このとき、弾性材料で形成されているフレキシブルノズル１２は、洗浄液が噴射される際に生じる反力及びそのベクトル変化によって先端側が暴れることになり、その結果、開口部５に臨む洗浄対象面の全体にむら無く洗浄液が噴射され、対象面に付着した汚れや塩分を効果的に除去することができる。
【００３１】
尚、洗浄液の噴射は、洗浄カップ２内で行われるため、洗浄廃液は、周囲へ飛散することなく洗浄カップ２内（洗浄対象面の上）に溜まり、開口端縁５ａの近傍において先端部が開口する吸引パイプ１８によって吸引され、洗浄液排出部１３を通って洗浄カップ２外へ排出される。そして、洗浄液排出部１３に接続されている洗浄廃液回収ホース４から吸引手段（図示せず）へと吸引され、回収される。
【００３２】
以上に説明したように、本発明の洗浄装置は、非常に簡素な構成であるため、軽量で、操作性に優れた装置とすることができ、しかも、洗浄液の噴射によって先端が揺動するフレキシブルノズルを採用することにより、洗浄対象面の全体をむら無く効果的に洗浄することができ、更に、洗浄作業に伴って生じる洗浄廃液を確実に回収することができる。
【符号の説明】
【００３３】
１：洗浄装置、
２：洗浄カップ、
３：洗浄液供給部、
４：洗浄廃液回収ホース、
５：開口部、
５ａ：開口端縁、
６：ブラシ、
７：スポンジ、
８：後方側の側部、
９ａ：小孔、
９ｂ：大孔、
１０：継手、
１１：ノズルソケット、
１２：フレキシブルノズル、
１３：洗浄液排出部、
１４：把持部、
１５：トリガー、
１６：スプレーガン、
１７：洗浄液供給ホース、
１８：吸引パイプ、
１９：上面部
【図１】
2014148844.tif 000003
【図２】
2014148844.tif 000004
【図３】
2014148844.tif 000005
【図４】
2014148844.tif 000006
【図５】
2014148844.tif 000007